(57)【要約】【課題】ユーザの撮影技術の向上を促進することができる撮像装置を提供する。【解決手段】本発明の撮像装置は、本体の手ブレを検出するジャイロセンサ６００と、ユーザが撮影動作を行っているときにジャイロセンサ６００により検出された手ブレに基づいて、手ブレ量に関する評価値を算出し、算出された評価値を撮影の度に積算し、積算された評価値の積算値に応じて、ユーザにメッセージを与えるシステムＬＳＩ２０１とを備える。【選択図】図２
2010039423.tif 000002
【特許請求の範囲】
【請求項１】
本体の手ブレを検出する手ブレ検出手段と、
ユーザが撮影動作を行っているときに前記手ブレ検出手段により検出された手ブレに基づいて、手ブレ量に関する評価値を算出する評価値算出手段と、
前記評価値算出手段によって算出された評価値を撮影の度に積算する評価値積算手段と、
前記評価値積算手段によって積算された評価値の積算値に応じて、前記ユーザにメッセージを与えるメッセージ付与手段とを備えることを特徴とする撮像装置。
【請求項２】
請求項１に記載の撮像装置において、
前記メッセージ付与手段は、前記ユーザをほめるメッセージを与えることを特徴とする撮像装置。
【請求項３】
請求項１に記載の撮像装置において、
前記メッセージ付与手段は、前記ユーザが前記本体の手ブレを抑制できるようにするためのアドバイスを与えることを特徴とする撮像装置。
【請求項４】
請求項１に記載の撮像装置において、
前記評価値の積算値に応じて、前記撮像装置の使用不可能であった機能を使用可能とする機能付加手段を備え、
前記メッセージ付与手段は、前記撮像装置の使用不可能であった機能が使用可能となることを伝えるメッセージを与えることを特徴とする撮像装置。
【請求項５】
請求項４に記載の撮像装置において、
前記使用不可能であった機能は、前記撮像装置に予め備えられていた機能であることを特徴とする撮像装置。
【請求項６】
請求項４に記載の撮像装置において、
前記使用不可能であった機能は、前記撮像装置に所定のソフトウェアを入力することにより付与される機能であることを特徴とする撮像装置。
【請求項７】
請求項１に記載の撮像装置において、
前記メッセージ付与手段は、インターネット上の所定のホームページにログインするパスワードを伝えるメッセージを与えることを特徴とする撮像装置。
【発明の詳細な説明】
【技術分野】
【０００１】
本発明は、本体の手ブレを検出する撮像装置に関する。
【背景技術】
【０００２】
検出したカメラの手ブレ量に基づいて、撮像感度を変更したり、シャッタ秒時を変更したりするデジタルスチルカメラが従来技術として知られている（たとえば、特許文献１参照）。
【特許文献１】特開２００４−３６１４８６号公報
【発明の開示】
【発明が解決しようとする課題】
【０００３】
特許文献１に記載のデジタルスチルカメラでは、手ブレに対する対応がカメラ任せになり、ユーザの撮影技術が向上しづらいという問題点がある。
【課題を解決するための手段】
【０００４】
本発明の態様によると、撮像装置は、本体の手ブレを検出する手ブレ検出手段と、ユーザが撮影動作を行っているときに手ブレ検出手段により検出された手ブレに基づいて、手ブレ量に関する評価値を算出する評価値算出手段と、評価値算出手段によって算出された評価値を撮影の度に積算する評価値積算手段と、評価値積算手段によって積算された評価値の積算値に応じて、ユーザにメッセージを与えるメッセージ付与手段とを備える。
【発明の効果】
【０００５】
本発明によれば、ユーザの撮影技術の向上を促進することができる。
【発明を実施するための最良の形態】
【０００６】
−第１の実施形態−
以下、図を参照して本発明の第１の実施形態を説明する。図１は本発明の第１の実施形態による撮像装置１の外観図である。図１（ａ）は撮像装置１を斜め前方から見た斜視図であり、図１（ｂ）は撮像装置１を斜め後方から見た斜視図である。図１（ａ）に示すように、撮像装置１の正面には、撮像光学系１０１（図２参照）を構成する撮影レンズ１０１Ａと、撮影レンズ１０１Ａを格納したレンズ鏡胴１０１Ｂと、照明装置７００とが設けられている。撮像装置１の内部には、ジャイロセンサ６００が設けられている。撮像装置１の上面には、撮影を行うための処理を行わせるためのレリーズボタン４０１が設けられている。図１（ｂ）に示すように、撮像装置１の背面には、表示モニタ３０１が設けられている。
【０００７】
図２は、本発明の第１の実施形態による撮像装置１の構成を示すブロック図である。撮像装置１は、ＣＣＤ（ Charge Coupled Device ）撮像素子１０２を有する撮像部１００、システムＬＳＩ（ Large Scale Integration ）２０１を主体とするデジタル回路部２００、画像再生部３００、操作部４００、メモリカードインターフェイス（Ｉ／Ｆ）５００、ジャイロセンサ６００および照明装置７００等により構成される。メモリカードインターフェイス５００にはメモリカード５０１が接続される。
【０００８】
ＣＣＤ撮像素子１０２は複数の画素が二次元的に配設されたエリア型の撮像素子であり、ＣＣＤ撮像素子１０２の撮像面上には撮影光学系１０１により被写体像が結像される。本実施形態では、撮像素子としてＣＣＤ型の撮像素子を例に説明するが、ＣＭＯＳ（ Complementary Metal Oxide Semiconductor ）型の撮像素子などでもよい。被写体像はＣＣＤ撮像素子１０２において光電変換され、被写体像に応じた電気信号がＣＣＤ撮像素子１０２からアナログ信号処理回路１０３に出力される。
【０００９】
アナログ信号処理回路１０３はＡＧＣ（利得制御）回路またはＣＤＳ（相関二重サンプリング）回路などを含み、入力された画像信号に対してゲイン調整や雑音除去等のアナログ信号処理を行う。アナログ信号処理が施された画像信号はＡ／Ｄ変換回路１０４によってデジタル信号に変換され、デジタル回路部２００のシステムＬＳＩ２０１に入力される。
【００１０】
レンズ制御装置１０５は、被写体に焦点を合わせるため、撮影光学系１０１を構成する撮影レンズ１０１Ａ（図１参照）のレンズ位置を移動する。また、レンズ制御装置１０５は、レンズ鏡胴１０１Ｂ（図１参照）を繰り出したり、撮像装置本体に収納したりする。
【００１１】
ＴＧ（タイミングジェネレータ）回路１０６はＣＣＤ撮像素子１０２、アナログ信号処理回路１０３およびＡ／Ｄ変換回路１０４のそれぞれに動作タイミング信号を出力し、これらの動作タイミングを制御する。
【００１２】
デジタル回路部２００のシステムＬＳＩ２０１では、Ａ／Ｄ変換回路１０４から入力されたデジタル画像データに対して、画像サイズ変更、ホワイトバランス処理、ガンマ補正等のデジタル信号処理およびデータ圧縮処理などが行われる。ＲＯＭ２０３はプログラムメモリから構成され、ＲＯＭ２０３にはこれらの処理に関するプログラムや撮像装置全体の制御プログラムが記憶されている。不図示のメインスイッチがオンされるとシステムＬＳＩ２０１によりＲＯＭ２０３に記憶された制御プログラムが実行される。
【００１３】
ＲＡＭ２０２は画像メモリから構成され、撮像部１００から入力された画像データの一時記憶や各種画像処理や画像圧縮／伸張処理の際のバッファメモリとして利用される。デジタル回路部２００で画像処理された画像データは、メモリカード５０１に記録される。
【００１４】
システムＬＳＩ２０１はタイマ２０１ａを内蔵しており、時間を計測することができる。また、システムＬＳＩ２０１は、後述の手ブレ評価積算値や撮影条件を記憶する手ブレ評価積算値記憶部２０１ｂを有する。
【００１５】
画像再生部３００は、上述した表示モニタ３０１と、その表示モニタ３０１の駆動制御を行うモニタコントローラ３０２とを有する。
【００１６】
操作部４００は、上述したレリーズボタン４０１などのハードスイッチ類で構成される。操作部４００は、それぞれの操作内容に応じた操作信号をシステムＬＳＩ２０１へ出力する。
【００１７】
メモリカードインターフェイス５００は、メモリカード５０１にデータを書き込んだり、メモリカード５０１からデータを読み出したりする。
【００１８】
ジャイロセンサ６００は撮像装置１の手ブレを角速度として検出し、検出結果をシステムＬＳＩ２０１に出力する。ジャイロセンサ６００は、撮像装置１の縦方向の軸を中心とした角速度と、撮像装置１の横方向の軸を中心とした角速度とを検出する。
【００１９】
照明装置７００は、撮影時にシステムＬＳＩ２０１から発光指示された場合に所定光量で閃光発光し被写体を照明する。照明光は撮像装置前方へ射出される。
【００２０】
次に撮像装置１の撮影機能について説明する。撮影装置１はシステムＬＳＩ２０１の制御により様々な撮影を行うことができる。たとえば、撮像装置１は以下の撮影機能を有する。
【００２１】
（１）感度自動制御機能
撮像装置１は、ユーザによってマニュアル設定されたシャッタ速度や絞り値で撮影を行う以外に、シャッタ速度や絞り値を自動的に設定して撮影を行うことができる。この場合、システムＬＳＩ２０１は、撮像部１００から入力された画像データにおける被写体の明るさの情報に基づいてシャッタ速度や絞り値を算出し設定する。また、撮像装置１は、ユーザによって設定された撮像感度、たとえばＩＳＯ感度で撮影を行う以外に、ＩＳＯ感度を自動的に設定して撮影を行うことができる。ＩＳＯ感度を自動的に設定する機能を以下、感度自動制御機能と呼ぶ。感度自動制御機能が実行される場合、ＩＳＯ感度の上限値およびシャッタ速度の下限値が自動的に設定される。ＩＳＯ感度が大きすぎると、画像にざらつきや色むらが発生しやすくなり、シャッタ速度が遅すぎると手ブレの影響が大きくなるからである。
【００２２】
（２）連写機能
撮像装置１は、レリーズボタン４０１が押圧されている間、連続して撮影を行うことができる。
【００２３】
（３）ノイズ低減機能
撮像装置１は、撮影感度を高めたときに発生する画像のノイズを画像処理によって低減させることができる。
【００２４】
（４）ベストショットセレクタ機能
撮像装置１は、連写機能により撮影された複数の画像の中から最も鮮明に撮影されている１つの画像を自動的に選択してメモリカード５０１に記憶させることができる。
【００２５】
（５）アクティブＤライティング機能
撮像装置１は、画像の階調が適切な明るさになるように、ハイライト部やシャドー部および中間調を調整することができる。
【００２６】
次に、本発明の第１の実施形態における撮影技術の向上処理について、図３および図４のフローチャートを参照して説明する。図３および図４の処理は、撮像装置１のモードが撮影モードに設定されるとスタートするプログラムによりシステムＬＳＩ２０１において実行される。ここで、撮像装置１は被写体の撮影を行う撮影モードと、メモリカード５０１に記憶されている画像を表示モニタ３０１に表示させる再生モードとを有するものとして説明する。また、撮像装置１は上述の感度自動制御機能を実行しているものとして説明する。
【００２７】
ステップＳ１０１では、レリーズボタン４０１が半押しされたか否かを判定する。ここで半押しとは、ユーザがレリーズボタン４０１を軽く抵抗を感じるところまで押して、そのまま指を止めるレリーズボタン４０１の押圧状態をいう。さらに、ユーザがレリーズボタン４０１を半押しの状態から深く押し込むことを全押しという。レリーズボタン４０１が半押しされた場合はステップＳ１０２が肯定判定され、ステップＳ１０２へ進む。レリーズボタン４０１が半押しされていない場合はステップＳ１０１を繰り返す。ステップＳ１０２では、ジャイロセンサ６００で、２００ｍｓｅｃ間、撮像装置１の手ブレ、つまり撮像装置１の角速度を検出する。
【００２８】
図５を参照してジャイロセンサ６００が検出する撮像装置１の角速度について説明する。図５は、ジャイロセンサ６００が検出した角速度を説明するための図である。撮像装置１の縦軸を中心とする角速度をＸ軸とし、撮像装置１の横軸を中心とする角速度をＹ軸とする。Ｘ軸とＹ軸の交点５１は２つの軸の角加速度が０°／ｓとなる点である。ジャイロセンサ６００が検出した角速度はＸＹ平面上の点５２として表すことができる。そして、交点５１と点５２との間の長さ５３で表す角速度が、撮像装置１の角速度となる。
【００２９】
交点５１を中心とした円５４は、撮像装置１の角速度の許容値を示す円である。この許容値５４は、撮影に影響を与えないと推測される撮像装置１の角速度である。つまり、撮影に影響を与えないと推測される手ブレ量の許容値である。円５５は許容値の１／２の角速度を示す円であり、円５６は許容値の１／４の角速度を示す円である。
【００３０】
図３のステップＳ１０３では、２００ｍｓｅｃの間、角速度は常に許容値の１／４以下であったか否かを判定する。角速度は常に許容値の１／４以下であった場合はステップＳ１０３が肯定判定され、ステップＳ１０４へ進む。角速度は許容値の１／４より大きくなるときもあった場合はステップＳ１０３が否定判定され、ステップＳ１０６へ進む。
【００３１】
ステップＳ１０４では、シャッタ速度下限を初期状態よりも２段遅くし、ＩＳＯ感度の上限を初期状態にする。たとえば、シャッタ速度の下限を１／６０ｓから１／１６ｓにし、ＩＳＯ感度の上限を４００とする。ステップＳ１０５では、手ブレ評価値を２とする。そして、図４のステップＳ２０１へ進む。
【００３２】
ステップＳ１０６では、２００ｍｓｅｃの間、角速度は常に許容値の１／２以下であったか否かを判定する。角速度は常に許容値の１／２以下であった場合はステップＳ１０６が肯定判定され、ステップＳ１０７へ進む。角速度は常許容値の１／２より大きくなるときもあった場合はステップＳ１０６が否定判定され、ステップＳ１０９へ進む。
【００３３】
ステップＳ１０７では、シャッタ速度下限を初期状態よりも１段遅くし、ＩＳＯ感度の上限を初期状態にする。たとえば、シャッタ速度の下限を１／６０ｓから１／３０ｓにし、ＩＳＯ感度の上限を４００とする。ステップＳ１０８では、手ブレ評価値を１とする。そして、図４のステップＳ２０１へ進む。
【００３４】
ステップＳ１０９では、２００ｍｓｅｃの間、角速度は常に許容値以下であったか否かを判定する。角速度は常に許容値以下であった場合はステップＳ１０９が肯定判定され、ステップＳ１１０へ進む。角速度は許容値より大きくなることもあった場合はステップＳ１０９が否定判定され、ステップＳ１１２へ進む。
【００３５】
ステップＳ１１０では、シャッタ速度の下限、ＩＳＯ感度の上限を初期状態にする。たとえば、シャッタ速度の下限を１／６０ｓとし、ＩＳＯ感度の上限を４００とする。ステップＳ１１１では、手ブレ評価値を０とする。そして、図４のステップＳ２０１へ進む。
【００３６】
ステップＳ１１２では、２００ｍｓｅｃのうち、角速度が許容値を越える時間が２０ｍｓｅｃ以下であったか否かを判定する。角速度が許容値を越える時間が２０ｍｓｅｃ以下であった場合はステップＳ１１２が肯定判定され、ステップＳ１１３へ進む。角速度が許容値を越える時間が２０ｍｓｅｃより大きかった場合はステップＳ１１２が否定判定され、ステップＳ１１６へ進む。
【００３７】
ステップＳ１１３では、シャッタ速度下限を初期状態よりも１段速くする。たとえば、シャッタ速度の下限を１／６０ｓから１／１２５ｓにする。ステップＳ１１４では、ＩＳＯ感度の上限を初期状態より１段高くする。たとえば、ＩＳＯ感度の上限を４００から８００にする。ステップＳ１１５では、手ブレ評価値を−１とする。そして、図４のステップＳ２０１へ進む。
【００３８】
ステップＳ１１６では、シャッタ速度下限を初期状態よりも２段速くする。たとえば、シャッタ速度の下限を１／６０ｓから１／２５０ｓにする。ステップＳ１１７では、ＩＳＯ感度の上限を初期状態より２段高くする。たとえば、ＩＳＯ感度の上限を４００から１６００にする。ステップＳ１１８では、手ブレ評価値を−２とする。そして、図４のステップＳ２０１へ進む。
【００３９】
図４のステップＳ２０１では、設定されたシャッタ速度下限、ＩＳＯ感度の上限の範囲内で露出を調整する。ステップＳ２０２では、レリーズボタン４０１が全押しされたか否かを判定する。レリーズボタン４０１が全押しされた場合はステップＳ２０１が肯定判定され、ステップＳ２０３へ進む。レリーズボタン４０１が全押しされていない場合はステップＳ２０２が否定判定され、図３のステップＳ１０２に戻る。ステップＳ２０３では、不図示のシャッタを開閉して撮影を行う。
【００４０】
ステップＳ２０４では、撮影を行ったときの撮影条件を手ブレ評価積算値記憶部２０１ｂに記憶する。図６に示すように、撮影条件ごとにフラグが予め決められており、そのフラグを記憶することにより撮影を行ったときの撮影条件を記憶する。たとえば、撮影を行ったときのシャッタ速度がシャッタ速度の下限値より速い場合は、フラグ「Ａ」を手ブレ評価積算値記憶部２０１ｂに記憶する。
【００４１】
図４のステップＳ２０５では、手ブレ評価積算値記憶部２０１ｂに記憶されている手ブレ評価積算値を読み出し、手ブレ評価積算値に手ブレ評価値を加算する。手ブレ評価積算値の初期値は０であり、撮影を行うたびに加算され、手ブレ評価積算値記憶部２０１ｂに記憶される。なお、負の値の手ブレ評価値が手ブレ評価積算値に加算されると、手ブレ評価積算値は小さくなる。
【００４２】
ステップＳ２０６では、手ブレ評価積算値が−１０以下であるか否かを判定する。手ブレ評価積算値が−１０以下である場合はステップＳ２０６が肯定判定され、ステップＳ２０７へ進む。手ブレ評価積算値が−１０より大きい場合はステップＳ２０６が否定判定され、ステップＳ２０８へ進む。
【００４３】
ステップＳ２０７では、ユーザが撮像装置の手ブレを抑制できるようにするためのアドバイスを表示する。図７に示すように、アドバイスの内容は、手ブレ評価積算値記憶部２０１ｂに記憶されている撮影条件ごと、つまりフラグごとに予め決められている。また、複数の異なる撮影条件が記憶されている場合は、手ブレ評価積算値記憶部２０１ｂに記憶された撮影条件の中で数が最も多い撮影条件に対応するアドバイスを表示する。たとえば、フラグ「Ａ」の撮影条件が多い場合は、図８（ａ）に示すように、表示モニタ３０１に正しいカメラの持ち方が表示され、「カメラは、このようにお持ちください。」と、アドバイスが表示される。そして、ステップＳ２１０へ進む。
【００４４】
ステップＳ２０８では、手ブレ評価積算値が１００以上であるか否かを判定する。手ブレ評価積算値が１００以上である場合はステップＳ２０８が肯定判定され、ステップＳ２０９へ進む。手ブレ評価積算値が１００未満の場合はステップＳ２０８が否定判定され、ステップＳ２１２へ進む。
【００４５】
ステップＳ２０９では、表示モニタ３０１にユーザをほめる表示を行う。たとえば、図８（ｂ）に示すように、「Ｇｏｏｄ  ｊｏｂ！」とユーザをほめる文言および図形を表示モニタ３０１に表示する。そして、ステップＳ２１０へ進む。
【００４６】
ステップＳ２１０では、手ブレ評価積算値を０にする。ステップＳ２１１では、手ブレ評価積算値記憶部２０１ｂに記憶されている撮影条件を消去する。ステップＳ２１２では、手ブレ評価積算値を手ブレ評価積算値記憶部２０１ｂに記憶する。ステップＳ２１３では、撮像装置１のモードは撮影モードであるか否かを判定する。撮像装置１のモードは撮影モードである場合はステップＳ２１３が肯定判定され、ステップＳ１０１に戻る。撮像装置１のモードは撮影モードでない場合、つまり、撮像装置１のモードが再生モードであったり、撮像装置１の電源がオフにされたりしている場合はステップＳ２１３が否定判定され、撮影技術の向上処理を終了する。
【００４７】
以上説明した第１の実施形態によれば、次の作用効果が得られる。
（１）ユーザが撮影動作を行っているときにジャイロセンサ６００により検出された撮像装置１の手ブレに基づいて、手ブレ評価値を算出し、その手ブレ評価値を撮影の度に積算し、積算された手ブレ評価値の手ブレ評価積算値に応じて、ユーザにメッセージを与えるようにした。これにより、ユーザに対して撮影技術の技術レベルに応じたメッセージを的確に与えることができ、ユーザの撮影技術の向上を促進することができる。
【００４８】
（２）手ブレ評価積算値に応じて、ユーザをほめるメッセージを与えるようにした。これにより、ユーザはこのメッセージに励まされ、撮影技術の向上にさらに勤めるようになる。
【００４９】
（３）手ブレ評価積算値に応じて、ユーザが撮像装置１の手ブレを抑制できるようにするためのアドバイスをメッセージとして与えるようにした。これにより、このアドバイスを参考にさせてユーザの撮影技術を向上させることができる。
【００５０】
以上の第１の実施形態を次のように変形することができる。
（１）撮像装置１の手ブレを検出することができれば、手ブレを検出する手段は撮像装置１の角速度の検出に限定されない。たとえば、撮像装置１の加速度や角加速度を検出することにより撮像装置１の手ブレを検出するようにしてもよい。また、撮像されている画像から撮像装置１の手ブレを検出するようにしてもよい。
【００５１】
（２）手ブレ評価値を算出するために使用する撮像装置１の手ブレは、ユーザが撮影動作を行っている時間に検出されたものであれば、レリーズボタン４０１が半押しされているときに検出されたものに限定されない。たとえば、レリーズボタン４０１が全押しされたときに検出された手ブレに基づいて手ブレ評価値を算出するようにしてもよい。また、撮影が行われた時間の直前の２００ｍｓｅｃ間に検出された手ブレに基づいて手ブレ評価値を算出するようにしてもよい。ここで、撮影動作とは、ユーザがレリーズボタン４０１に触れてからレリーズボタン４０１の全押しを終えるまでの動作をいう。
【００５２】
（３）表示モニタ３０１の表示によってユーザにメッセージを与えるようにしたが、音声によってユーザにメッセージを与えるようにしてもよい。この場合、撮像装置１はスピーカを備え、スピーカからメッセージを出力する。また、表示モニタ３０１の表示および音声によってユーザにメッセージを与えるようにしてもよい。
【００５３】
（４）図４のステップＳ２０８で手ブレ評価積算値が１００以上であった場合、ステップＳ２０９でユーザをほめる表示が行われるが、手ブレ評価積算値が１００以上になるまでの撮影回数によって、ユーザをほめる表示内容を変更するようにしてもよい。同じ手ブレ評価積算値が１００以上になった者であっても、少ない撮影回数で手ブレ評価積算値が１００以上になった者の方が撮影技術のレベルが高いと考えられるからである。また、図４のステップＳ２０６で手ブレ評価積算値が−１０以下であった場合、ステップＳ２０７でアドバイスが表示されるが、手ブレ評価積算値が−１０以下になるまでの撮影回数によって、ユーザへのアドバイスの内容を変更するようにしてもよい。同じ手ブレ評価積算値が−１０以下になった者であっても、少ない撮影回数で手ブレ評価積算値が−１０以下になった者の方が撮影技術のレベルが低いと考えられるからである。
【００５４】
（５）ユーザの手ブレに関する撮影技術を評価できれば、算出される手ブレ評価値の数値は実施形態に限定されない。また、ユーザをほめる表示をしたり、ユーザへのアドバイスの表示をしたりするときの基準となる手ブレ評価積算値の数値も実施形態に限定されない。
【００５５】
−第２の実施形態−
次に本発明の第２の実施形態を説明する。本発明の第２の実施形態による撮像装置は、手ブレ評価積算値が１００以上になると、撮像装置に予め備えられていた機能の中で使用不可能にされていた機能を使用可能にすることができる。第２の実施形態による撮像装置の構成は、第１の実施形態による撮像装置とほとんど同じであるので、第２の実施形態による撮像装置の構成の説明は省略する。
【００５６】
次に、本発明の第２の実施形態における撮像装置１の手ブレを抑制する撮影技術の向上処理について、図３および図９のフローチャートを参照して説明する。第１の実施形態における撮影技術の向上処理と同じステップには同じ符号を付し、第１の実施形態における撮影技術の向上処理と異なる部分を主に説明する。
【００５７】
図９のステップＳ２０８が肯定判定されるとステップＳ３０１へ進む。ステップＳ３０１では、使用不可であった機能が使用可能となる旨の表示を行う。たとえば、「顔認識機能が使えるようになります。」というメッセージを表示モニタ３０１に表示する。ここで、使用不可であった機能とは、予め撮像装置に設けられていた機能であるが、使用できないようにされていた機能である。使用不可であった機能として、たとえば被写体の顔を検出して被写体の顔に撮影レンズの焦点を合わせる顔認識機能や撮影レンズの特性で画像周辺部に生ずるゆがみを補正するゆがみ補正機能、画像周辺部に現れやすい倍率色収差(色ずれ)を検出し、低減する色収差補正機能などがある。
【００５８】
ステップＳ３０２では、使用不可の機能のうちの１つの機能を使用可能にする。そして、ステップＳ２１０へ進む。
【００５９】
以上説明した第２の実施形態によれば、次の作用効果が得られる。
（１）撮像装置の使用不可能であった機能が使用可能となることを伝えるメッセージをユーザに与え、撮像装置の使用不可能であった機能を使用可能とするようにした。これにより、ユーザは使用可能となる機能を増やすために撮影技術の向上にさらに勤めるようになり、ユーザの撮影技術の向上が促進される。
【００６０】
（２）撮像装置に予め備えられていた機能のうちの一部の機能を使用不可能にしておき、手ブレ評価積算値に応じて使用可能となるようにした。これにより、手ブレ評価積算値が所定の条件を満たすと、使用不可であった機能をすぐに使用可能とすることができ、ユーザの撮影技術を向上させようという気持ちを高めることができる。
【００６１】
以上の第２の実施形態を次のように変形することができる。
手ブレ評価積算値が１００以上になる度に少しずつ撮像装置の手動で設定できる範囲を広げるようにしてもよい。たとえば、最初は自動でのみ露出調整を行えるようにし、手ブレ評価積算値が１００以上になる度に少しずつ手動で露出調整を行える範囲を広げるようにしてもよい。具体的には、手ブレ評価積算値が１００以上になる度に、シャッタ速度、絞り値、撮影感度の順序でユーザが手動で設定できるようにする。これにより、ユーザの撮影技術の向上に合わせて手動設定を行える範囲を広げることができる。
【００６２】
−第３の実施形態−
次に本発明の第３の実施形態を説明する。本発明の第３の実施形態による撮像装置は、手ブレ評価積算値が１００以上になると、所定のパスワードをユーザに通知する。ユーザはそのパスワードを使用してインターネット上の所定のホームページにログインすることができ、ログインしたホームページから使用不可能であった機能を撮像装置に追加するためのソフトウェアなどをダウンロードしたり、景品を取得したりすることができる。第３の実施形態による撮像装置の構成は、第１の実施形態による撮像装置とほとんど同じであるので、第３の実施形態による撮像装置の構成の説明は省略する。
【００６３】
次に、本発明の第３の実施形態における撮影技術の向上処理について、図３および図１０のフローチャートを参照して説明する。第１の実施形態における撮影技術の向上処理と同じステップには同じ符号を付し、第１の実施形態における撮影技術の向上処理と異なる部分を主に説明する。
【００６４】
図１０のステップＳ２０８が肯定判定されるとステップＳ４０１へ進む。ステップＳ４０１では、表示モニタ３０１にパスワードをメッセージとして表示する。このパスワードは、撮像装置のシリアルナンバと手ブレ評価積算値とから決定される。そして、ステップＳ２１０へ進む。
【００６５】
ユーザは、パーソナルコンピュータをインターネットに接続させ、このパスワードを用いて所定のホームページにログインし、撮像装置に使用不可能であった機能を追加するソフトウェアやバージョンアップされたファームウェアなどをダウンロードしたり、ノベリティグッズなどの景品を取得したりすることができる。ユーザは、メモリカードを介してダウンロードしたソフトウェアを撮像装置に入力することができる。
【００６６】
以上説明した第３の実施形態によれば、次の作用効果が得られる。
（１）撮像装置の使用不可能であった機能を使用可能とするようにした。これにより、ユーザは使用可能となる機能を増やすために撮影技術の向上にさらに勤めるようになり、ユーザの撮影技術の向上が促進される。
【００６７】
（２）撮像装置にソフトウェアを入力することにより使用不可能であった機能を撮像装置に付与するようにした。これにより、撮像装置に予め設けられていた機能以外の機能を撮像装置に付与することができる。
【００６８】
（３）手ブレ評価積算値に応じて、インターネット上の所定のホームページにログインするパスワードを伝えるメッセージを与えるようにした。これにより、ユーザは、インターネット上の所定のホームページから撮像装置の機能を追加するソフトウェアをダウンロードしたり、景品を取得したりすることができる。その結果、ユーザは使用可能となる撮像装置の機能を増やしたり景品を取得したりするために撮影技術の向上にさらに勤めるようになり、ユーザの撮影技術の向上が促進される。
【００６９】
以上の第３の実施形態を次のように変形することができる。
撮像装置が無線装置を備えている場合、ユーザは、無線電波を介してダウンロードしたソフトウェアを撮像装置に入力できるようにしてもよい。
【００７０】
実施形態と変形例の一つ、もしくは複数を組み合わせることも可能である。変形例同士をどのように組み合わせることも可能である。
【００７１】
以上の説明はあくまで一例であり、本発明は上記実施形態の構成に何ら限定されるものではない。
【図面の簡単な説明】
【００７２】
【図１】本発明の第１の実施形態における撮像装置の外観図である。
【図２】本発明の第１の実施形態における撮像装置の構成を説明するブロック図である。
【図３】本発明の第１の実施形態における撮影技術の向上処理を説明するためのフローチャートである。
【図４】本発明の第１の実施形態における撮影技術の向上処理を説明するためのフローチャートである。
【図５】ジャイロセンサが検出する撮像装置の角速度を説明するための図である。
【図６】撮影を行ったときの撮影条件とその撮影条件に対応するフラグを説明するための図である。
【図７】表示モニタに表示するアドバイスの内容と撮影条件との関係を説明するための図である。
【図８】表示モニタに表示されるユーザに対するメッセージの内容を説明するための図である。
【図９】本発明の第２の実施形態における撮影技術の向上処理を説明するためのフローチャートである。
【図１０】本発明の第３の実施形態における撮影技術の向上処理を説明するためのフローチャートである。
【符号の説明】
【００７３】
１  撮像装置
２０１  システムＬＳＩ
２０１ａ  タイマ
２０１ｂ  手ブレ評価積算値記憶部
３０１  表示モニタ
４０１  レリーズボタン
６００  ジャイロセンサ
【図１】
2010039423.tif 000003
【図２】
2010039423.tif 000004
【図３】
2010039423.tif 000005
【図４】
2010039423.tif 000006
【図５】
2010039423.tif 000007
【図６】
2010039423.tif 000008
【図７】
2010039423.tif 000009
【図８】
2010039423.tif 000010
【図９】
2010039423.tif 000011
【図１０】
2010039423.tif 000012